(57)【要約】  【課題】  ＪＰＥＧなどの画像ファイルをスライドショーとして表示する場合、ファイルサイズに関係なく一定時間で画像を切り換えることができる機能を有する光ディスク再生装置を提供する。  【解決手段】  光ディスクの選択されたファイルを読み込んでファイル情報の取得が行われ、前記取得されたファイル情報に基づき前記選択ファイルは再生可能なファイルであると判定された場合にデコードされ、スライドショーの画像が表示される。この画像の表示の開始時点から、表示時間が計測されると共に、次のファイルが読み込まれてファイル情報が取得され、表示時間が設定時間を経過したと判定され、且つ次のファイルは再生可能なファイルであると判定された場合に、前記次のファイルがデコードされ、次のスライドショーの画像が表示される。これにより、前記設定時間が経過すると、直ぐに出画処理に移行できる。  【選択図】      図３
2006339721.tif 000002
【特許請求の範囲】
【請求項１】
光ディスクに記録された情報を再生する光ディスク再生装置において、選択されたファ
イルを読み込んでファイル情報の取得を行うファイル情報取得手段と、前記取得されたフ
ァイル情報に基づき前記選択ファイルは再生可能なファイルであるか否かを判定する再生
可能ファイル判定手段と、前記選択ファイルは再生可能なファイルであると判定された場
合に、前記ファイルをデコードするようにビデオデコーダに指示するデコード指示手段と
、前記ファイルがデコードされた後、このデコードデータによりディスプレイ装置にスラ
イドショーの画像の表示を行わせる画像表示処理手段と、前記画像の表示の開始時点から
次のファイルを読み込んでファイル情報の取得を行う次ファイル情報取得手段と、選択さ
れた次のファイルは前記取得されたファイル情報に基づき再生可能なファイルであるか否
かを判定する再生可能次ファイル判定手段と、前記画像表示処理手段によりディスプレイ
装置にスライドショーの画像が表示されてからの表示時間を計測して前記表示時間が設定
時間を経過したか否かを判定する表示時間判定手段と、前記表示時間が設定時間を経過し
たと判定され、且つ前記次ファイル情報取得手段により取得されたファイル情報に基づき
前記選択次ファイルは再生可能なファイルであると判定された場合に、前記次のファイル
をデコードするようにビデオデコーダに指示する次デコード指示手段と、前記次のファイ
ルがデコードされた後、前記表示時間が設定時間を経過したと判定された時に、前記デコ
ードデータによりディスプレイ装置にスライドショーの画像の表示を行わせる次画像表示
処理手段とを有するシステムコントローラを備えたことを特徴とする光ディスク再生装置
。
【請求項２】
光ディスクに記録された情報を再生する光ディスク再生装置において、選択されたファ
イルに基づき表示されたスライドショーの画像の表示時間を計測している段階で、次のフ
ァイルを前もって読み出しておき、前記表示時間が設定時間を経過した時、前記次のファ
イルによる次のスライドショーの画像の表示を行うように制御するシステムコントローラ
を備えたことを特徴とする光ディスク再生装置。
【請求項３】
前記システムコントローラは、選択されたファイルを読み込んでファイル情報の取得を
行うファイル情報取得手段と、前記取得されたファイル情報に基づき前記選択ファイルは
再生可能なファイルであるか否かを判定する再生可能ファイル判定手段と、前記選択ファ
イルは再生可能なファイルであると判定された場合に、前記ファイルをデコードするよう
にビデオデコーダに指示するデコード指示手段と、前記ファイルがデコードされた後、こ
のデコードデータによりディスプレイ装置にスライドショーの画像の表示を行わせる画像
表示処理手段と、前記画像の表示の開始時点から次のファイルを読み込んでファイル情報
の取得を行う次ファイル情報取得手段と、選択された次のファイルは前記取得されたファ
イル情報に基づき再生可能なファイルであるか否かを判定する再生可能次ファイル判定手
段と、前記画像表示処理手段によりディスプレイ装置にスライドショーの画像が表示され
てからの表示時間を計測して前記表示時間が設定時間を経過したか否かを判定する表示時
間判定手段と、前記表示時間が設定時間を経過したと判定され、且つ前記次ファイル情報
取得手段により取得されたファイル情報に基づき前記選択次ファイルは再生可能なファイ
ルであると判定された場合に、前記次のファイルをデコードするようにビデオデコーダに
指示する次デコード指示手段と、前記次のファイルがデコードされた後、前記表示時間が
設定時間を経過したと判定された時に、前記デコードデータによりディスプレイ装置にス
ライドショーの画像の表示を行わせる次画像表示処理手段とを有することを特徴とする請
求項２に記載の光ディスク再生装置。
【発明の詳細な説明】
【技術分野】
【０００１】
本発明は、光ディスクに記録された情報を再生する光ディスク再生装置に関し、特に、
一定時間ずつ画像を切り換えて表示するスライドショーを行う機能を有する光ディスク再
生装置に関する。
【背景技術】
【０００２】
近年、低コスト化が進み、メモリの削減により一時的に多くの情報を記憶できない光デ
ィスク再生装置（ＤＶＤプレイヤー）において、ＪＰＥＧ（Joint Photographic Experts
Group）などの画像ファイルをスライドショーするには、１画像毎にファイルを読み出し
出画する。１ファイルを出画した時点で、スライドショーの表示時間（再生時間）を計測
し、切り換わり時間（例えば５秒や１０秒）になると、次のファイルを読み出すといった
処理が、従来の光ディスク再生装置において行われている。
【０００３】
図４は従来の光ディスク再生装置においてスライドショー機能の動作を説明するための
フローチャートである。このフローチャートを参照して従来の光ディスク再生装置におい
てスライドショー機能の動作について説明する。
【０００４】
先ず、スライドショーの表示を行うファイルが記録された光ディスクを立ち上げ、リモ
コンを操作してスライドショーの表示を行う再生すべきファイルの選択を行う（ステップ
Ｎ１）。次に、前記選択されたファイルを読み込んでファイル情報の取得を行う（ステッ
プＮ２）。そして、前記取得されたファイル情報に基づき、前記選択ファイルは、再生可
能なファイルであるか否かを判定し（ステップＮ３）、前記選択ファイルは再生可能なフ
ァイルであると判定された場合に、前記ファイルをデコードする（ステップＮ４）。
【０００５】
前記再生可能なファイルがデコードされた後、そのデコードデータによりスライドショ
ーの画像の表示を行わせる（ステップＮ５）。この画像の表示の開始時点からスライドシ
ョーの画像が表示されてからの表示時間を計測して（ステップＮ６）、前記表示時間がユ
ーザによる設定時間を経過したか否かを判定する（ステップＮ７）。
【０００６】
前記表示時間が設定時間を経過したと判定された時に（ステップＮ７）、次ファイルの
ファイル情報が取得される（ステップＮ８）。次に、前記取得された次ファイルのファイ
ル情報に基づき、前記次ファイルは再生可能なファイルであると判定された（ステップＮ
９）場合に、前記次ファイルをデコードする（ステップＮ１０）。前記再生可能なファイ
ルがデコードされた後、そのデコードデータによりスライドショーの画像の表示が行われ
る。再生可能ファイルでないと判定された場合は（ステップＮ９）、次の次のファイルを
読み込んでファイル情報が取得され、以下同様な処理が行われる。
【特許文献１】特開２００５−３９３５９号公報
【特許文献２】特開２００５−７９８２２号公報
【発明の開示】
【発明が解決しようとする課題】
【０００７】
上述したように従来の光ディスク再生装置では、１ファイルを出画した時点で、スライ
ドショーの表示時間（再生時間）を計測し、切り換わり時間になると、次のファイルを読
み出すといった処理が行われている。しかしながら、次のファイルを読み出す時間が長く
なれば、出画も遅れるので、前のスライドショーの時間に、ばらつきが出てくる。また、
ファイルの読み出し時間はファイルサイズによって異なり、サイズの大きなファイルには
読み出し時間も長くなる。
【０００８】
要するに、従来の光ディスク再生装置においては、ＪＰＥＧのような画像の出画では、
ファイルサイズによって出画までの時間に差があり、この差が例えば１０秒近いものもあ
り、ユーザにとっては、スライドショーの時間が一定でないため、ストレスを感じるとい
う課題があった。
【０００９】
なお、特許文献１の従来技術は、画像データが表示部に表示されている間に、その画像
データに関連する他の画像データを記憶部から検出するため、空き時間を利用して効率良
く関連する画像データの検出を行うことができるようにしているが、スライドショーの表
示時間に関するものではなく、その表示時間を設定通りに行うものではない。
【００１０】
特許文献２の従来技術は、フォトを管理する画像管理部と、フォトの表示を制御する画
像表示制御部とを並行して動作させることにより、可搬型記録媒体からの静止画データフ
ァイルの読み出し時間をユーザに意識させることなくスライドショーによりフォトを表示
するようにしているが、この従来技術も、スライドショーの表示時間に関するものではな
く、その表示時間を設定通りに行うものではない。
【００１１】
本発明は、上記のような課題を解決するためになされたもので、ＪＰＥＧなどの画像フ
ァイルをスライドショーとして表示する場合、ファイルサイズに関係なく一定時間で画像
を切り換えることができる機能を有する光ディスク再生装置を提供することを目的とする
。
【課題を解決するための手段】
【００１２】
上記目的を達成するために、請求項１の発明は、選択されたファイルを読み込んでファ
イル情報の取得を行うファイル情報取得手段と、前記取得されたファイル情報に基づき前
記選択ファイルは再生可能なファイルであるか否かを判定する再生可能ファイル判定手段
と、前記選択ファイルは再生可能なファイルであると判定された場合に、前記ファイルを
デコードするようにビデオデコーダに指示するデコード指示手段と、前記ファイルがデコ
ードされた後、このデコードデータによりディスプレイ装置にスライドショーの画像の表
示を行わせる画像表示処理手段と、前記画像の表示の開始時点から次のファイルを読み込
んでファイル情報の取得を行う次ファイル情報取得手段と、選択された次のファイルは前
記取得されたファイル情報に基づき再生可能なファイルであるか否かを判定する再生可能
次ファイル判定手段と、前記画像表示処理手段によりディスプレイ装置にスライドショー
の画像が表示されてからの表示時間を計測して前記表示時間が設定時間を経過したか否か
を判定する表示時間判定手段と、前記表示時間が設定時間を経過したと判定され、且つ前
記次ファイル情報取得手段により取得されたファイル情報に基づき前記選択次ファイルは
再生可能なファイルであると判定された場合に、前記次のファイルをデコードするように
ビデオデコーダに指示する次デコード指示手段と、前記次のファイルがデコードされた後
、前記表示時間が設定時間を経過したと判定された時に、前記デコードデータによりディ
スプレイ装置にスライドショーの画像の表示を行わせる次画像表示処理手段とを有するシ
ステムコントローラを備えたことを特徴とする光ディスク再生装置を提供する。
【００１３】
この構成においては、スライドショーの表示を行うファイルが記録された光ディスクを
立ち上げ、スライドショーの表示を行う再生すべきファイルの選択が行われると、ファイ
ル情報取得手段は、前記選択されたファイルを読み込んでファイル情報の取得を行う。そ
して、再生可能ファイル判定手段は、前記取得されたファイル情報に基づき前記選択ファ
イルは再生可能なファイルであるか否かを判定し、前記選択ファイルは再生可能なファイ
ルであると判定された場合に、デコード指示手段は、前記ファイルをデコードするように
ビデオデコーダに指示する。
【００１４】
前記再生可能なファイルが、ビデオデコーダによりデコードされた後、画像表示処理手
段は、そのデコードデータによりディスプレイ装置にスライドショーの画像の表示を行わ
せる。この画像の表示の開始時点から、次ファイル情報取得手段は、次のファイルを読み
込んでファイル情報の取得を行う。また、この画像の表示の開始時点から、表示時間判定
手段は、ディスプレイ装置にスライドショーの画像が表示されてからの表示時間を計測し
て、前記表示時間が設定時間を経過したか否かを判定する。
【００１５】
前記次のファイルを読み込んでファイル情報が取得された後、再生可能次ファイル判定
手段は、前記取得されたファイル情報に基づき前記次のファイルが再生可能なファイルで
あるか否かを判定する。前記表示時間が設定時間を経過したと判定され、且つ前記次ファ
イル情報取得手段により取得されたファイル情報に基づき前記選択次ファイルは再生可能
なファイルであると判定された場合に、次デコード指示手段は、前記次のファイルをデコ
ードするようにビデオデコーダに指示する。これにより、前記次のファイルがデコードさ
れる。また、前記表示時間が設定時間を経過したと判定された時に、次画像表示処理手段
は、前記デコードデータによりディスプレイ装置に次のスライドショーの画像の表示を行
わせる。
【００１６】
この構成によれば、スライドショーの時間を計測している段階で、次のファイルを前も
って読み出しておき、設定時間が経過すると、直ぐに出画処理に移行できるようになるの
で、ＪＰＥＧなどの画像ファイルをスライドショーとして表示する場合、ファイルサイズ
に関係なく一定時間で画像を切り換えることができ、出画時間も均等になり、これにより
、ユーザがストレスを感じるようなことがなくなる。
【００１７】
請求項２の発明は、選択されたファイルに基づき表示されたスライドショーの画像の表
示時間を計測している段階で、次のファイルを前もって読み出しておき、前記表示時間が
設定時間を経過した時、前記次のファイルによる次のスライドショーの画像の表示を行う
ように制御するシステムコントローラを備えたことを特徴とする光ディスク再生装置を提
供する。
【００１８】
この構成においては、選択されたファイルに基づき表示されたスライドショーの画像の
表示時間を計測している段階で、次のファイルが前もって読み出され、前記表示時間が設
定時間を経過した時、前記次のファイルによる次のスライドショーの画像が表示される。
【００１９】
この構成によれば、スライドショーの時間を計測している段階で、次のファイルを前も
って読み出しておき、設定時間が経過すると、直ぐに出画処理に移行できるようになるの
で、ＪＰＥＧなどの画像ファイルをスライドショーとして表示する場合、ファイルサイズ
に関係なく一定時間で画像を切り換えることができ、出画時間も均等になり、これにより
、ユーザがストレスを感じるようなことがなくなる。
【００２０】
請求項３の発明では、請求項２の発明において、前記システムコントローラは、選択さ
れたファイルを読み込んでファイル情報の取得を行うファイル情報取得手段と、前記取得
されたファイル情報に基づき前記選択ファイルは再生可能なファイルであるか否かを判定
する再生可能ファイル判定手段と、前記選択ファイルは再生可能なファイルであると判定
された場合に、前記ファイルをデコードするようにビデオデコーダに指示するデコード指
示手段と、前記ファイルがデコードされた後、このデコードデータによりディスプレイ装
置にスライドショーの画像の表示を行わせる画像表示処理手段と、前記画像の表示の開始
時点から次のファイルを読み込んでファイル情報の取得を行う次ファイル情報取得手段と
、選択された次のファイルは前記取得されたファイル情報に基づき再生可能なファイルで
あるか否かを判定する再生可能次ファイル判定手段と、前記画像表示処理手段によりディ
スプレイ装置にスライドショーの画像が表示されてからの表示時間を計測して前記表示時
間が設定時間を経過したか否かを判定する表示時間判定手段と、前記表示時間が設定時間
を経過したと判定され、且つ前記次ファイル情報取得手段により取得されたファイル情報
に基づき前記選択次ファイルは再生可能なファイルであると判定された場合に、前記次の
ファイルをデコードするようにビデオデコーダに指示する次デコード指示手段と、前記次
のファイルがデコードされた後、前記表示時間が設定時間を経過したと判定された時に、
前記デコードデータによりディスプレイ装置にスライドショーの画像の表示を行わせる次
画像表示処理手段とを有する。
【００２１】
したがって、前記システムコントローラは、ファイル情報取得処理、再生可能ファイル
判定処理、デコード指示処理、画像表示処理、次ファイル情報取得処理、再生可能次ファ
イル判定処理、表示時間判定処理、次デコード指示処理、および次画像表示処理を実現で
き、これにより、スライドショーの時間を計測している段階で、次のファイルを前もって
読み出しておき、設定時間が経過すると、直ぐに出画処理に移行できるようにする制御を
実現できる。
【発明の効果】
【００２２】
以上のように本発明によれば、選択されたファイルを読み込んでファイル情報の取得を
行うファイル情報取得手段と、前記取得されたファイル情報に基づき前記選択ファイルは
再生可能なファイルであるか否かを判定する再生可能ファイル判定手段と、前記選択ファ
イルは再生可能なファイルであると判定された場合に、前記ファイルをデコードするよう
にビデオデコーダに指示するデコード指示手段と、前記ファイルがデコードされた後、こ
のデコードデータによりディスプレイ装置にスライドショーの画像の表示を行わせる画像
表示処理手段と、前記画像の表示の開始時点から次のファイルを読み込んでファイル情報
の取得を行う次ファイル情報取得手段と、選択された次のファイルは前記取得されたファ
イル情報に基づき再生可能なファイルであるか否かを判定する再生可能次ファイル判定手
段と、前記画像表示処理手段によりディスプレイ装置にスライドショーの画像が表示され
てからの表示時間を計測して前記表示時間が設定時間を経過したか否かを判定する表示時
間判定手段と、前記表示時間が設定時間を経過したと判定され、且つ前記次ファイル情報
取得手段により取得されたファイル情報に基づき前記選択次ファイルは再生可能なファイ
ルであると判定された場合に、前記次のファイルをデコードするようにビデオデコーダに
指示する次デコード指示手段と、前記次のファイルがデコードされた後、前記表示時間が
設定時間を経過したと判定された時に、前記デコードデータによりディスプレイ装置にス
ライドショーの画像の表示を行わせる次画像表示処理手段とを有するシステムコントロー
ラを備えたので、スライドショーの時間を計測している段階で、次のファイルを前もって
読み出しておき、設定時間が経過すると、直ぐに出画処理に移行できるようになり、これ
により、ＪＰＥＧなどの画像ファイルをスライドショーとして表示する場合、ファイルサ
イズに関係なく一定時間で画像を切り換えることができ、出画時間も均等になり、したが
って、ユーザはストレス無く画像を楽しむことが可能になる。
【００２３】
また、本発明によれば、選択されたファイルに基づき表示されたスライドショーの画像
の表示時間を計測している段階で、次のファイルを前もって読み出しておき、前記表示時
間が設定時間を経過した時、前記次のファイルによる次のスライドショーの画像の表示を
行うように制御するシステムコントローラを備えたので、スライドショーの時間を計測し
ている段階で、次のファイルを前もって読み出しておき、設定時間が経過すると、直ぐに
出画処理に移行できるようになり、これにより、ＪＰＥＧなどの画像ファイルをスライド
ショーとして表示する場合、ファイルサイズに関係なく一定時間で画像を切り換えること
ができ、出画時間も均等になり、したがって、ユーザはストレス無く画像を楽しむことが
可能になる。
【発明を実施するための最良の形態】
【００２４】
以下、添付図面を参照しつつ、本発明の実施の形態について説明する。図１は本発明の
一実施形態に係る光ディスク再生装置の構成を示すブロック図である。
【００２５】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、装置全体を制御するシステムコントローラ２２と、こ
のシステムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００２６】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からＤＶＤオーディオ規格に基づいているオーディオデータとサブピ
クチャデータとビデオデータ（静止画データ）とを分離するストリーム分離部９とを備え
ている。
【００２７】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納すると共に静止画データを格納す
るＲＡＭ１４とを備えている。
【００２８】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して静止画をディスプレイ装置２０に表示させるビデオエン
コーダ１８と、オーディオデコーダ１１から出力されたデータをアナログのオーディオ信
号に変換して例えばスピーカ１９に供給するＤ／Ａ変換器１６とを備えている。
【００２９】
また、この光ディスク再生装置は、システムコントローラ２２に対して、再生指示を与
えるための再生キーや、再生停止を指示するための停止キー、あるいは静止画を選択表示
するためのナビゲーションキーなどの各種操作キーを有するリモコン２１を備えている。
また、この光ディスク再生装置は、装置の各構成要素を制御したり、装置全体を制御した
りするためのプログラムやデータが記憶されたフラッシュＲＯＭ２３と、このフラッシュ
ＲＯＭ２３のプログラムやデータに従って演算処理を行いシステムコントローラ２２を制
御するＣＰＵ２４とを備えている。
【００３０】
システムコントローラ２２は、選択されたファイルを読み込んでファイル情報の取得を
行うファイル情報取得手段２２１と、前記取得されたファイル情報に基づき前記選択ファ
イルは再生可能なファイルであるか否かを判定する再生可能ファイル判定手段２２２と、
前記選択ファイルは再生可能なファイルであると判定された場合に、前記ファイルをデコ
ードするようにビデオデコーダ１５に指示するデコード指示手段２２３と、前記ファイル
がデコードされた後、このデコードデータによりディスプレイ装置２０にスライドショー
の画像の表示を行わせる画像表示処理手段２２４と、前記画像の表示の開始時点から次の
ファイルを読み込んでファイル情報の取得を行う次ファイル情報取得手段２２５とを有す
る。
【００３１】
また、システムコントローラ２２は、選択された次のファイルは前記取得されたファイ
ル情報に基づき再生可能なファイルであるか否かを判定する再生可能次ファイル判定手段
２２６と、前記画像表示処理手段２２４によりディスプレイ装置２０にスライドショーの
画像が表示されてからの表示時間を計測して前記表示時間が設定時間を経過したか否かを
判定する表示時間判定手段２２７と、前記表示時間が設定時間を経過したと判定され、且
つ前記次ファイル情報取得手段２２５により取得されたファイル情報に基づき前記選択次
ファイルは再生可能なファイルであると判定された場合に、前記次のファイルをデコード
するようにビデオデコーダ１５に指示する次デコード指示手段２２８と、前記次のファイ
ルがデコードされた後、前記表示時間が設定時間を経過したと判定された時に、前記デコ
ードデータによりディスプレイ装置２０にスライドショーの画像の表示を行わせる次画像
表示処理手段２２９とを有する。
【００３２】
図２は本実施形態においてスライドショー機能のファイル読み込み処理とファイル出画
処理との時間流れを説明するための図である。図２において、１ファイル目の読み込み処
理Ａ１では、光ディスク１から再生され、選択された１ファイル目のファイルの読み込み
処理が行われ、その１ファイル目のファイルがデコードされ、１ファイル目の出画Ｂ１が
行われる。即ち、デジタル信号処理部８は、光ディスク１に記録された１ファイル目のフ
ァイルを読み取った光ピックアップ２からのＲＦ信号をデジタルデータに変換した後、こ
の光ディスク１のデータフォーマットに応じた信号復調処理と誤り訂正処理を行って生成
した静止画データなどをＲＡＭ７に一旦格納する。そして、ビデオデコーダ１５は、前記
静止画データをデコードし、ビデオエンコーダ１８を介してディスプレイ装置２０に１フ
ァイル目のファイルによるスライドショーの画像を表示させる。
【００３３】
そして、１ファイル目の出画Ｂ１が行われている間（スライドショーの間）に、２ファ
イル目の読み込み処理Ａ２が行われて、その２ファイル目のファイルがデコードされ、ス
ライドショーの時間が経過すれば、２ファイル目の出画Ｂ２が行われる。次に、２ファイ
ル目の出画Ｂ２が行われている間に、３ファイル目の読み込み処理Ａ３が行われ、その３
ファイル目のファイルがデコードされ、スライドショーの時間が経過すれば、３ファイル
目の出画Ｂ３が行われる。次に、３ファイル目の出画Ｂ３が行われている間に、４ファイ
ル目の読み込み処理Ａ４が行われ、その４ファイル目のファイルがデコードされ、スライ
ドショーの時間が経過すれば、４ファイル目の出画Ｂ４が行われる。
【００３４】
例えば、スライドショーの時間が、例えば、５秒や１０秒であった場合、５秒や１０秒
の間に、ファイルの読み込み処理が行われて、そのファイルが再生可能であれば、そのフ
ァイルをデコードして、出画を待つことになるので、５秒や１０秒経過した時点で直ぐに
出画することが可能になる。
【００３５】
図３は本実施形態においてスライドショー機能の動作を説明するためのフローチャート
である。このフローチャートおよび図１を参照してこのスライドショー機能の動作につい
て説明する。
【００３６】
スライドショーの表示を行うファイルが記録された光ディスク１を立ち上げ、リモコン
２１を操作してスライドショーの表示を行う再生すべきファイルの選択が行われると（ス
テップＳ１）、システムコントローラ２２のファイル情報取得手段２２１は、前記選択フ
ァイルを読み込んでファイル情報の取得を行う（ステップＳ２）。そして、システムコン
トローラ２２の再生可能ファイル判定手段２２２は、前記取得されたファイル情報に基づ
き前記選択ファイルは再生可能なファイルであるか否かを判定し（ステップＳ３）、前記
選択ファイルは再生可能なファイルであると判定された場合に、デコード指示手段２２３
は、前記ファイルをデコードするようにビデオデコーダ１５に指示する。
【００３７】
前記再生可能なファイルが、ビデオデコーダ１５によりデコード（ステップＳ４）され
た後、システムコントローラ２２の画像表示処理手段２２４は、そのデコードデータによ
りディスプレイ装置２０にスライドショーの画像の表示を行わせる（ステップＳ５）。即
ち、画像表示処理手段２２４は、ビデオデコーダ１５からのデコード化された静止画ビデ
オデータを、ビデオプロセッサ１７を介してビデオエンコーダ１８に与える。これにより
、ビデオエンコーダ１８からは静止画表示用ビデオ信号がディスプレイ装置２０に出力さ
れ、ディスプレイ装置２０ではスライドショーの画像（例えば、１ファイル目の静止画像
）が表示される。
【００３８】
この画像の表示の開始時点から、システムコントローラ２２の次ファイル情報取得手段
２２５は、次のファイル（例えば２ファイル目）のファイル情報の取得を行う（ステップ
Ｓ６）。また、この画像の表示の開始時点から、システムコントローラ２２の表示時間判
定手段２２７は、ディスプレイ装置２０にスライドショーの画像が表示されてからの表示
時間を計測して（ステップＳ８）、前記表示時間が設定時間を経過したか否かを判定する
（ステップＳ９）。
【００３９】
前記次のファイル（例えば２ファイル目）のファイル情報が取得された後、システムコ
ントローラ２２の再生可能次ファイル判定手段２２６は、前記取得されたファイル情報に
基づき前記次のファイルが再生可能なファイルであるか否かを判定する（ステップＳ７）
。前記表示時間が設定時間を経過したと判定され（ステップＳ９）、且つ前記次ファイル
情報取得手段により取得されたファイル情報に基づき前記選択次ファイルは再生可能なフ
ァイルであると判定された（ステップＳ７）場合に、システムコントローラ２２の次デコ
ード指示手段２２８は、前記次のファイルをデコードするようにビデオデコーダ１５に指
示する。これにより、前記次のファイルがデコードされる（ステップＳ１０）。
【００４０】
また、前記表示時間が設定時間を経過したと判定された時に（ステップＳ９）、システ
ムコントローラ２２の次画像表示処理手段２２９は、前記デコードデータによりディスプ
レイ装置２０に次のスライドショーの画像（例えば、２ファイル目の静止画像）の表示を
行わせる（ステップＳ１１）。
【００４１】
再生可能ファイルでないと判定された場合は（ステップＳ３）、次ファイルのファイル
情報が取得される（ステップＳ６）。また、再生可能ファイルでないと判定された場合は
（ステップＳ７）、次の次のファイルを読み込んでファイル情報が取得され、以下同様な
処理が行われる。また、次のスライドショーの画像の表示（ステップＳ１１）が行われた
後も、次の次のファイルを読み込んでファイル情報が取得され、以下同様な処理が行われ
る。
【００４２】
以上説明したように本実施形態によれば、スライドショーの時間を計測している段階で
、次のファイルを前もって読み出しておき、設定時間が経過すると、直ぐに出画処理に移
行できるようになるので、ＪＰＥＧなどの画像ファイルをスライドショーとして表示する
場合、ファイルサイズに関係なく一定時間で画像を切り換えることができ、出画時間も均
等になり、したがって、ユーザはストレス無く画像を楽しむことが可能になる。
【図面の簡単な説明】
【００４３】
【図１】本発明の一実施形態に係る光ディスク再生装置の構成を示すブロック図である。
【図２】前記実施形態においてスライドショー機能のファイル読み込み処理とファイル出画処理との時間流れを説明するための図である。
【図３】前記実施形態においてスライドショー機能の動作を説明するためのフローチャートである。
【図４】従来の光ディスク再生装置においてスライドショー機能の動作を説明するためのフローチャートである。
【符号の説明】
【００４４】
１    光ディスク
２２    システムコントローラ
２２１    ファイル情報取得手段
２２２    再生可能ファイル判定手段
２２３    デコード指示手段
２２４    画像表示処理手段
２２５    次ファイル情報取得手段
２２６    再生可能次ファイル判定手段
２２７    表示時間判定手段
２２８    次デコード指示手段
２２９    次画像表示処理手段
【図１】
2006339721.tif 000003
【図２】
2006339721.tif 000004
【図３】
2006339721.tif 000005
【図４】
2006339721.tif 000006